(57)【要約】【課題】本発明は、電流サンプル/ホールド回路を用いた逆多重化装置及びこれを用いたディスプレイ装置に関する。【解決手段】画像信号に該当するデータ電流を供給するデータ駆動部２００；入力端がデータ駆動部２００に接続され、少なくとも二つのサンプル/ホールド回路３１０，３２０を各々含む第１及び第２サンプル/ホールド回路グループを含む逆多重化部；第１及び第２サンプル/ホールド回路グループ３１０、３２０の出力端と複数のデータ線との間をスイッチングするスイッチング部３３０；及び走査線に選択信号を供給するための走査駆動部；を含み、第１サンプル/ホールド回路グループ３１０のサンプル/ホールド回路のうちのいずれか一つがスイッチング部３３０に電流を出力する区間の一部において、他の一つがデータ電流をサンプリングし、データ駆動部から供給されるデータ電流の順序は変化する。【選択図】図４
2005157331.tif 000002
【特許請求の範囲】
【請求項１】
画像信号を伝達する複数のデータ線、選択信号を伝達する複数の走査線、及び前記データ線及び前記走査線に電気的に接続される複数の画素回路を含むディスプレイ装置において、
前記画像信号に対応して時分割多重化されたデータ電流を供給するデータ駆動部と、
入力端が前記データ駆動部に接続され、少なくとも二つのサンプル/ホールド回路を各々含む第１及び第２サンプル/ホールド回路グループを含む逆多重化部と、
前記第１及び第２サンプル/ホールド回路グループの出力端と前記複数のデータ線との間をスイッチングするスイッチング部と、
前記走査線に前記選択信号を供給するための走査駆動部とを含み、
前記第１サンプル/ホールド回路グループの前記サンプル/ホールド回路のうちのいずれか一つが前記スイッチング部に電流を出力する区間の一部において、他の一つが前記データ電流をサンプリングし、
前記第２サンプル/ホールド回路グループの前記サンプル/ホールド回路のうちのいずれか一つが前記スイッチング部に電流を出力する区間の一部において、他の一つが前記データ電流をサンプリングし、
前記データ駆動部から供給される前記データ電流の順序が変化することを特徴とする、ディスプレイ装置。
【請求項２】
前記第１サンプル/ホールド回路グループの前記サンプル/ホールド回路は、入力端と出力端とが互いに接続された第１及び第３サンプル/ホールド回路であり、
前記第２サンプル/ホールド回路グループの前記サンプル/ホールド回路は、入力端と出力端とが互いに接続された第２及び第４サンプル/ホールド回路であることを特徴とする、請求項１に記載のディスプレイ装置。
【請求項３】
前記第１及び第２サンプル/ホールド回路は、第１区間において前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、前記サンプリングしたデータに対応する電流を出力することを特徴とする、請求項２に記載のディスプレイ装置。
【請求項４】
前記第１区間と前記第３区間とは実質的に同一であることを特徴とする、請求項３に記載のディスプレイ装置。
【請求項５】
一つのフレームでは前記第１区間の動作が先に行われ、他の一つのフレームでは前記第２区間の動作が先に行われることを特徴とする、請求項４に記載のディスプレイ装置。
【請求項６】
一つのフレームと他の一つのフレームとで、前記第１及び第２サンプル/ホールド回路のサンプリング順序が互いに異なることを特徴とする、請求項３に記載のディスプレイ装置。
【請求項７】
一つのフレームと他の一つのフレームとで、前記第３及び第４サンプル/ホールド回路のサンプリング順序が互いに異なることを特徴とする、請求項６に記載のディスプレイ装置。
【請求項８】
前記スイッチング部は、前記第２区間において、前記第１及び第２サンプル/ホールド回路の出力電流を前記少なくとも二つのデータ線に記入し、前記第３区間において、前記第３及び第４サンプル/ホールド回路の出力電流を前記少なくとも二つのデータ線に記入することを特徴とする、請求項３に記載のディスプレイ装置。
【請求項９】
前記第１乃至第４サンプル/ホールド回路は、
入力される電流をサンプリングして保存し、保存されたデータに対応する電流をホールディングするデータ保存手段と、
第１制御信号に応答して前記データ電流を前記データ保存手段に伝達するサンプリングスイッチと、
第２制御信号に応答して前記データ保存手段のホールディング電流を前記スイッチング部に印加するホールディングスイッチと、
を有することを特徴とする、請求項３に記載のディスプレイ装置。
【請求項１０】
前記第１制御信号と前記第２制御信号はクロック信号に実現されることを特徴とする、請求項９に記載のディスプレイ装置。
【請求項１１】
前記第１制御信号は４−位相クロック信号に実現され、前記第２制御信号は２−位相クロック信号に実現されることを特徴とする、請求項１０に記載のディスプレイ装置。
【請求項１２】
前記第１制御信号と前記第２制御信号の水平周期の半を第１周期とすれば、前記第１制御信号と前記第２制御信号の垂直周期は前記第１周期の奇数倍であることを特徴とする、請求項１１に記載のディスプレイ装置。
【請求項１３】
前記第１及び第２制御信号は、毎フレームごとに１８０度ずつ位相がシフトされることを特徴とする、請求項１２に記載のディスプレイ装置。
【請求項１４】
前記第１乃至第４サンプル/ホールド回路は、
第１端子、第２端子、及び第３端子を備え、前記第１端子と前記第２端子の電圧差によって前記第２端子から前記第３端子に流れる電流を制御するトランジスタと、
第１制御信号に応答して、第１電源を前記トランジスタの前記第２端子に連結する第１スイッチング素子と、
第２制御信号に応答して、前記データ電流を前記トランジスタの前記第１端子に伝達する第２スイッチング素子と、
第３制御信号に応答して、前記トランジスタをダイオード形態に連結する第３スイッチング素子と、
前記トランジスタの前記第１端子と前記第２端子との間に接続されて、前記データ電流に対応する電圧を保存するキャパシタと、
第４制御信号に応答して、第２電源を前記トランジスタの前記第３端子に連結する第４スイッチング素子と、
第５制御信号に応答して、前記キャパシタに保存された電圧に対応する電流を前記トランジスタの前記第２端子にホールディングする第５スイッチング素子と、
を有することを特徴とする、請求項２に記載のディスプレイ装置。
【請求項１５】
前記第１乃至第３スイッチング素子はサンプリング時に応答し、前記第４及び第５スイッチング素子はホールディング時に応答することを特徴とする、請求項１４に記載のディスプレイ装置。
【請求項１６】
前記第１乃至第３スイッチング素子は同一なタイプのチャンネルを有するトランジスタに実現され、前記第１乃至第３制御信号は実質的に同一であることを特徴とする、請求項１４に記載のディスプレイ装置。
【請求項１７】
前記第４及び第５スイッチング素子は同一なタイプのチャンネルを有するトランジスタに実現され、前記第４及び第５制御信号は実質的に同一であることを特徴とする、請求項１６に記載のディスプレイ装置。
【請求項１８】
前記逆多重化部に入力されるデータ電流の順序はフレーム別に変化し、一定の周期を有することを特徴とする、請求項１に記載のディスプレイ装置。
【請求項１９】
前記逆多重化部に入力されるデータ電流の順序はサブフレーム別に変化し、一定の周期を有することを特徴とする、請求項１に記載のディスプレイ装置。
【請求項２０】
前記スイッチング部は、一つのフレームにおいて、前記第１及び第２サンプル/ホールド回路グループの出力電流を前記複数のデータ線のうちの第１及び第２データ線に各々記入し、他の一つのフレームにおいて、前記第１及び第２サンプル/ホールド回路グループの出力電流を各々前記第２及び第１データ線に記入することを特徴とする、請求項１に記載のディスプレイ装置。
【請求項２１】
前記画素回路に記入される電流がサンプリングされる順序は平均的に同一であることを特徴とする、請求項１に記載のディスプレイ装置。
【請求項２２】
前記画素回路に記入される前記データ電流が前記データ駆動部から供給される順序は平均的に同一であることを特徴とする、請求項１に記載のディスプレイ装置。
【請求項２３】
画像信号を伝達する複数のデータ線、選択信号を伝達する複数の走査線、及び前記データ線及び前記走査線に電気的に接続される複数の画素回路を含むディスプレイ装置において、
前記画像信号に対応するデータ電流を供給するデータ駆動部と、
入力端が前記データ駆動部に接続され、前記データ電流を逆多重化して出力する逆多重化部と、
前記逆多重化部の出力端と前記複数のデータ線との間をスイッチングするスイッチング部と、
前記走査線に前記選択信号を供給するための走査駆動部とを含み、
前記データ駆動部から供給される前記データ電流の順序は、一つのフレームと他の一つのフレームとで互いに異なるように設定され、前記スイッチング部は、前記逆多重化部の出力電流が当該画素回路に記入できるようにスイッチングすることを特徴とする、ディスプレイ装置。
【請求項２４】
前記逆多重化部は、入力端と出力端とが互いに接続された第１及び第３サンプル/ホールド回路を含む第１サンプル/ホールド回路グループと、
入力端と出力端とが互いに接続された第２及び第４サンプル/ホールド回路を含む第２サンプル/ホールド回路グループと、
を有することを特徴とする、請求項２３に記載のディスプレイ装置。
【請求項２５】
前記第１及び第２サンプル/ホールド回路は、第１区間において前記データ電流を順にサンプリングし、第２区間において前記サンプリングしたデータに対応する電流を出力し、
前記第３及び第４サンプル/ホールド回路は、前記第２区間において前記データ電流を順にサンプリングし、第３区間において前記サンプリングしたデータに対応する電流を出力することを特徴とする、請求項２４に記載のディスプレイ装置。
【請求項２６】
前記第１区間と前記第３区間とは実質的に同一であることを特徴とする、請求項２５に記載のディスプレイ装置。
【請求項２７】
前記データ電流が前記逆多重化部でサンプリングされる順序は、一つのフレームと他の一つのフレームとで互いに異なることを特徴とする、請求項２５に記載のディスプレイ装置。
【請求項２８】
前記データ線を通じて前記画素回路に記入される電流がサンプリングされる順序は平均的に同一であることを特徴とする、請求項２４に記載のディスプレイ装置。
【請求項２９】
前記第１乃至第４サンプル/ホールド回路は、
入力される電流をサンプリングして保存し、保存されたデータに対応する電流をホールディングするデータ保存手段と、
第１制御信号に応答して、前記データ電流を前記データ保存手段に伝達するサンプリングスイッチと、
第２制御信号に応答して、前記データ保存手段のホールディング電流を前記スイッチング部に印加するホールディングスイッチと、
を有することを特徴とする、請求項２４に記載のディスプレイ装置。
【請求項３０】
前記第１制御信号と前記第２制御信号はクロック信号に実現されることを特徴とする、請求項２９に記載のディスプレイ装置。
【請求項３１】
前記第１制御信号は４−位相クロック信号に実現され、前記第２制御信号は２−位相クロック信号に実現されることを特徴とする、請求項３０に記載のディスプレイ装置。
【請求項３２】
前記第１制御信号と前記第２制御信号の水平周期の半を第１周期とすれば、前記第１制御信号と前記第２制御信号の垂直周期は前記第１周期の奇数倍であることを特徴とする、請求項３０に記載のディスプレイ装置。
【請求項３３】
前記第１及び第２制御信号は、毎フレームごとに１８０度ずつ位相がシフトされることを特徴とする、請求項３２に記載のディスプレイ装置。
【請求項３４】
時分割されて入力されるデータ電流を少なくとも二つの信号線に記入するための逆多重化装置において、
入力端が前記データ駆動部に接続された第１及び第２サンプル/ホールド回路グループを含み、前記データ電流を逆多重化して出力する逆多重化部と、
前記第１及び第２サンプル/ホールド回路グループの出力端と前記信号線との間をスイッチングするスイッチング部とを含み、
前記第１サンプル/ホールド回路グループは、入力端と出力端とが互いに接続された第１及び第３サンプル/ホールド回路を含み、前記第２サンプル/ホールド回路グループは、入力端と出力端とが互いに接続された第２及び第４サンプル/ホールド回路を含み、
前記入力されるデータ電流の順序によって前記第１乃至第４サンプル/ホールド回路のサンプリング順序が変化することを特徴とする、逆多重化装置。
【請求項３５】
前記第１及び第２サンプル/ホールド回路は、第１区間において入力される前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、サンプリングして保存したデータに対応する電流を出力することを特徴とする、請求項３４に記載の逆多重化装置。
【請求項３６】
前記第１区間と前記第３区間は実質的に同一であることを特徴とする、請求項３５に記載の逆多重化装置。
【請求項３７】
時分割されて順に入力されるデータ電流を少なくとも二つの信号線に出力するための逆多重化方法において、
第１区間において、第１及び第２サンプル/ホールド回路が所定の順序に前記データ電流をサンプリングする段階と、
第２区間において、前記第１及び第２サンプル/ホールド回路が、前記サンプリングして保存したデータに対応する電流を前記信号線にホールディングし、第３及び第４サンプル/ホールド回路が前記データ電流をサンプリングする段階と、
第３区間において、前記第３及び第４サンプル/ホールド回路が、前記サンプリングして保存したデータに対応する電流を前記信号線にホールディングする段階とを含み、
前記入力されるデータ電流の順序が変化することを特徴とする、逆多重化方法。
【請求項３８】
一つのフレームと他の一つのフレームとにおいて、前記第１及び第２サンプル/ホールド回路のサンプリング順序が互いに異なることを特徴とする、請求項３７に記載の逆多重化方法。
【請求項３９】
一つのフレームと他の一つのフレームとにおいて、前記第３及び第４サンプル/ホールド回路のサンプリング順序が互いに異なることを特徴とする、請求項３７に記載の逆多重化方法。
【請求項４０】
前記第１乃至第４サンプル/ホールド回路が前記入力される電流をサンプリングする順序は平均的に同一であることを特徴とする、請求項３７に記載の逆多重化方法。
【発明の詳細な説明】
【技術分野】
【０００１】
本発明はディスプレイ装置に係り、特に、ディスプレイ装置における時分割多重化データ電流を逆多重化（demultiplexing）するための逆多重化装置に関するものである。
【背景技術】
【０００２】
図１３は、電流の逆多重化が必要な電流駆動ディスプレイ装置の例であって、ＡＭＯＬＥＤ（Active  Matrix  Organic  Light  Emitting  Diode）ディスプレイ装置を示したものである。
【０００３】
前記電流駆動ディスプレイ装置は、有機ＥＬ表示パネル１００、Ｎ：１に時分割多重化されたデータ電流を提供するデータ駆動部２００、前記データ電流を１：Ｎ逆多重化する逆多重化器（DeMUX）３００、複数の走査線に各々選択信号と発光信号を印加するための第1及び第２の走査駆動部４００、５００を含む。
【０００４】
第１走査駆動部４００によって選択信号が印加された走査線に属する画素１０には所定のデータ電流が提供され、第２走査駆動部５００により発光信号が印加されると、データ電流に対応する色相を表現する。ここで、データ駆動部２００に含まれたＩＣ（集積回路）の個数を減らすために電流逆多重化器３００が用いられる。つまり、データ駆動部２００から提供された時分割多重化データ電流は逆多重化器３００で１：Ｎ逆多重化され、Ｎ個のデータ線（ｄａｔａ［１］−ｄａｔａ［ｎ］）に対応する画素に供給される。前記逆多重化器３００を使用することにより、データ駆動部２００のＩＣの個数が減って購入費用が節減される。
【０００５】
図１４は、従来技術の逆多重化器に用いられるアナログスイッチを示したものである。
【０００６】
図１４に示された１：２逆多重化器は、スイッチ（Ｓ１、Ｓ２）を交互にオン・オフすることによってデータ電流を２つのデータ線に交互に出力する。一方、電流駆動パネルで高解像度を実現するためには、画素１０にデータを記入するのに多くの時間が必要である。
【発明の開示】
【発明が解決しようとする課題】
【０００７】
しかしながら、前記従来技術では、交互にスイッチングされるごとに画素にデータを記入しなければならないので、データ駆動部２００に含まれたＩＣの個数を減らすためには、データ記入時間を減少させなければならない短所があった。したがって、従来の逆多重化器は高解像度のディスプレイ装置には不適合であった。
【０００８】
本発明の目的は、データ記入時間を短縮せずに、データ駆動部に含まれたＩＣの個数を減らすことができる逆多重化装置及び方法を提供することにある。
【０００９】
本発明の他の目的は、高解像度のディスプレイ装置に適した逆多重化装置及び方法を提供することにある。
【００１０】
本発明のまた他の目的は、逆多重化器に印加される制御信号を生成する別途のロジックなしでクロック信号だけで制御できる逆多重化装置及び方法を提供することにある。
【課題を解決するための手段】
【００１１】
前記目的を達成するために、本発明の一つの特徴によるディスプレイ装置は、画像信号を伝達する複数のデータ線、選択信号を伝達する複数の走査線、及び前記データ線及び前記走査線に電気的に接続される複数の画素回路を含むディスプレイ装置であって、前記画像信号に対応する時分割多重化データ電流を供給するデータ駆動部；入力端が前記データ駆動部に接続され、少なくとも二つのサンプル/ホールド回路を各々含む第１及び第２サンプル/ホールド回路グループを含む逆多重化部；前記第１及び第２サンプル/ホールドグループの出力端と前記複数のデータ線との間をスイッチングするスイッチング部；及び前記走査線に前記選択信号を供給するための走査駆動部；を含み、前記第１サンプル/ホールド回路グループの前記サンプル/ホールド回路のうちのいずれか一つが前記スイッチング部に電流を出力する区間の一部において、他の一つが前記データ電流をサンプリングし、前記第２サンプル/ホールド回路グループの前記サンプル/ホールド回路のうちのいずれか一つが前記スイッチング部に電流を出力する区間の一部において、他の一つが前記データ電流をサンプリングし、前記データ駆動部から供給される前記データ電流の順序が変化する。
【００１２】
本発明の他の実施例によるディスプレイ装置は、画像信号を伝達する複数のデータ線、選択信号を伝達する複数の走査線、及び前記データ線及び前記走査線に電気的に接続される複数の画素回路を含むディスプレイ装置であって、前記画像信号に対応するデータ電流を供給するデータ駆動部；入力端が前記データ駆動部に接続され、前記データ電流を逆多重化して出力する逆多重化部；前記逆多重化部の出力端と前記複数のデータ線との間をスイッチングするスイッチング部；及び前記走査線に前記選択信号を供給するための走査駆動部；を含み、前記データ駆動部から供給される前記データ電流の順序は、一つのフレームと他の一つのフレームとで互いに異なるように設定され、前記スイッチング部は、前記逆多重化部の出力電流が当該画素回路に記入できるようにスイッチングする。
【００１３】
本発明の一つの特徴による逆多重化装置は、時分割されて入力されるデータ電流を少なくとも二つの信号線に記入するための逆多重化装置であって、入力端が前記データ駆動部に接続された第１及び第２サンプル/ホールド回路グループを含み、前記データ電流を逆多重化して出力する逆多重化部；及び前記第１及び第２サンプル/ホールド回路グループの出力端と前記信号線との間をスイッチングするスイッチング部；を含み、前記第１サンプル/ホールド回路グループは、入力端と出力端とが互いに接続された第１及び第３サンプル/ホールド回路を含み、前記第２サンプル/ホールド回路グループは、入力端と出力端とが互いに接続された第２及び第４サンプル/ホールド回路を含み、前記入力されるデータ電流の順序によって前記第１乃至第４サンプル/ホールド回路のサンプリング順序が変化する。
【００１４】
本発明の一つの特徴による逆多重化方法は、時分割されて順に入力されるデータ電流を少なくとも二つの信号線に出力するための逆多重化方法であって、第１区間において、第１及び第２サンプル/ホールド回路が所定の順序に前記データ電流をサンプリングする段階；第２区間において、前記第１及び第２サンプル/ホールド回路が、前記サンプリングして保存したデータに対応する電流を前記信号線にホールディングし、第３及び第４サンプル/ホールド回路が前記データ電流をサンプリングする段階；及び第３区間において、前記第３及び第４サンプル/ホールド回路が、前記サンプリングして保存したデータに対応する電流を前記信号線にホールディングする段階；を含み、前記入力されるデータ電流の順序が変化する。
【発明の効果】
【００１５】
本発明によれば、データ記入時間を減少せずにデータ駆動部のＩＣの個数を減らすことができる逆多重化器を提供することができる。また、ディスプレイ装置の全てのデータ線に実質的に同一な電流が流れるようにすることができ、ディスプレイパネルに現れる縦線紋を除去できる。さらに、逆多重化器に印加される制御信号を別途のロジックなしでクロック信号に使用できる。
【発明を実施するための最良の形態】
【００１６】
以下、本発明の実施例を図面を参照して詳細に説明する。
【００１７】
以下の説明において、ある部分が他の部分に連結されているとする場合、これは直接連結されている場合だけでなく、他の素子を隔てて電気的に連結（接続）されている場合も含む。また、本発明を明確に説明するために、説明と関係のない部分は図面から省略しており、明細書全体を通じて類似した部分については同一な図面符号を付けた。
【実施例１】
【００１８】
図１は、本発明の第１実施例による逆多重化器３００を概念的に示したブロック図である。
【００１９】
図１に示されているように、本発明の第１実施例による逆多重化器３００は、データ保存手段３１、３２、３３、３４、サンプリングスイッチ（Ｓ１、Ｓ２、Ｓ３、Ｓ４）とホールディングスイッチ（Ｈ１、Ｈ２、Ｈ３、Ｈ４）を各々含む４個のサンプル/ホールド回路を用いる。データ保存手段３１、３２、３３、３４はサンプリングスイッチ（Ｓ１、Ｓ２、Ｓ３、Ｓ４）によってデータ駆動部２００に接続され、ホールディングスイッチ（Ｈ１、Ｈ２、Ｈ３、Ｈ４）によってデータ線（ｄａｔａ［１］、ｄａｔａ［２］）に各々接続される。
【００２０】
一方、本発明で用いられる用語である“サンプル”、“ホールド”について以下の通りに定義する。
【００２１】
サンプル/ホールド回路の動作を見てみると、サンプリングスイッチによって流れる電流をサンプリングし、電圧形態にデータ保存手段に記録する段階と、サンプリングスイッチとホールディングスイッチが全て開いていて、記録されたデータを維持しながら待機する段階と、ホールディングスイッチによって記録されたデータに対応する電流をデータ線に供給する段階とを含む。したがって、本発明の明細書では、各々の段階を明確に区別するために、前記各々の段階を“サンプリング段階”、“待機段階”、“ホールディング段階”と定義する。
【００２２】
以下、本発明の一実施例によるサンプル/ホールド回路の内部構成を詳細に説明する。但し、逆多重化器３００に用いられる４個のサンプル/ホールド回路は実質的に互いに同一に構成されるので、以下では、第１サンプル/ホールド回路に対する説明をもって残りのサンプル/ホールド回路の説明に代える。
【００２３】
図２（Ａ）は、本発明の一実施例による第１サンプル/ホールド回路を示したものであり、図２（Ｂ）は、図２（Ａ）に示された回路の詳細等価回路を示したものである。
【００２４】
本発明の一実施例による第１サンプル/ホールド回路は、図２（Ｂ）に示したように、トランジスタ（Ｍ１）、キャパシタ（Ｃｈ）、サンプリングスイッチ（Ｓａ、Ｓｂ、Ｓｃ）、及びホールディングスイッチ（Ｈａ、Ｈｂ）を含む。
【００２５】
ここで、サンプリングスイッチ（Ｓａ、Ｓｂ、Ｓｃ）は図２（Ａ）のスイッチ（Ｓ１）を意味し、実質的に同一な制御信号によって制御される。ホールディングスイッチ（Ｈａ、Ｈｂ）は図２（Ａ）のスイッチ（Ｈ１）を意味し、実質的に同一な制御信号によって制御される。
【００２６】
サンプリングスイッチ（Ｓａ）は電源（ＶＤＤ）とトランジスタ（Ｍ１）のソースとの間に接続され、ホールディングスイッチ（Ｈａ）は電源（ＶＳＳ）とトランジスタ（Ｍ１）のドレーンとの間に接続される。サンプリングスイッチ（Ｓｂ）の一端はトランジスタ（Ｍ１）のゲートに接続され、他端はサンプリングスイッチ（Ｓｃ）の一端に接続され、サンプリングスイッチ（Ｓｃ）の他端はトランジスタ（Ｍ１）のドレーンに接続される。これで、サンプリングスイッチ（Ｓｂ、Ｓｃ）が閉じている場合、トランジスタ（Ｍ１）はダイオード連結を形成するようになる。
【００２７】
以下、本発明の一実施例による第１サンプル/ホールド回路の動作を詳細に説明する。
【００２８】
図２（Ｂ）において、サンプリングスイッチ（Ｓａ、Ｓｂ、Ｓｃ）が閉じて導通しており、ホールディングスイッチ（Ｈａ、Ｈｂ）が開いて遮断状態になっている場合、トランジスタ（Ｍ１）は、ゲートとソースとが連結されてダイオード連結が形成され、電流はトランジスタ（Ｍ１）を経由して電源（ＶＤＤ）からデータ駆動部２００に流れる。この時、キャパシタ（Ｃｈ）には、トランジスタ（Ｍ１）に流れる電流に対応するゲート及びソース間電圧が充電される。この時、第１サンプル/ホールド回路はデータのサンプリング動作を行う。
【００２９】
従って、サンプリングスイッチＳａ、Ｓｂ、Ｓｃが閉じられ、ホールディングスイッチＨａ、Ｈｂが開かれている場合には、電流は電源線ＶＤＤからトランジスタＭ１を通って入力線に流れ、この時のゲート・ソース間電圧がキャパシタＣｈに保存される。次いで、サンプリングスイッチＳａ、Ｓｂ、Ｓｃが開き、ホールディングスイッチＨａ、Ｈｂが閉じられると、切換えの瞬間に保存されたゲート・ソース間電圧に応じて、サンプリング時の入力電流と同じ大きさの電流が電源線ＶＤＤからトランジスタＭ１を通って出力線に流れだすことになる。
【００３０】
つまり、サンプリング回路は電流・電圧変換するアナログメモリであり、ホールディング回路は電圧・電流変換するメモリ読み出し装置であって、瞬間的に電流入力値を記憶し、その後、長時間に亘って電流を出力できる。
【００３１】
ここで、サンプリングスイッチ（Ｓａ、Ｓｂ、Ｓｃ）及びホールディングスイッチ（Ｈａ、Ｈｂ）が全て開いていれば、第１サンプル/ホールド回路は待機状態となる。前記待機状態は、逆多重化器３００のまた他のサンプル/ホールド回路がデータ線にデータをホールディングしている間に待機している状態である。
【００３２】
サンプリングスイッチ（Ｓａ、Ｓｂ、Ｓｃ）が開いており、ホールディングスイッチ（Ｈａ、Ｈｂ）が閉じていれば、前記キャパシタ（Ｃｈ）に充電されたゲート・ソース間電圧に対応する電流が、トランジスタ（Ｍ１）のソースからドレーンに流れ、電流値が一定に維持される。この時、第１サンプル/ホールド回路はデータ記入動作を行い、データ線を通じてデータをホールディングする。
【００３３】
本発明によれば、時分割逆多重化回路は、１出力回線毎に入力信号サンプリング回路と出力信号ホールディング回路を備え、サンプリング回路は電流・電圧変換するアナログメモリであり、ホールディング回路は電圧・電流変換するメモリ読み出し装置であって、瞬間的に電流入力値を記憶し、その後、長時間に亘って電流を出力できるから、従来技術の短所であるデータ記入時間の減少を防止しながら、時分割の単位時間を短縮できて、多重度を高めることが容易であり、画素列毎に必要な多くの集積回路を共通化できるので、所要部品数とモジュール間接続配線本数を低減できる効果がある。
【００３４】
図２（Ｂ）において、トランジスタ（Ｍ１）を、Ｐタイプのチャンネルを有するトランジスタを図示したが、第１電極、第２電極、及び第３電極を備え、第１電極及び第２電極に印加される電圧によって第３電極で流れる電流を制御する能動素子に実現することもできる。
【００３５】
また、図２（Ｂ）ではサンプル/ホールド回路として一つの回路を図示したが、本発明の範囲が特定のサンプル/ホールド回路に限られるわけではなく、サンプル/ホールド回路を利用して以下で説明する逆多重化動作を行うことができる全ての逆多重化部に本発明の概念をそのまま適用できる。
【００３６】
以下、図３を参照して、本発明の第１実施例による逆多重化器３００の動作を説明する。
【００３７】
図３は、本発明の第１実施例による逆多重化器３００に印加される制御信号の波形を示したものである。以下で、サンプリングスイッチ（Ｓ１、Ｓ２、Ｓ３、Ｓ４）は、印加される制御信号が低い時に閉じ、ホールディングスイッチ（Ｈ１、Ｈ２、Ｈ３、Ｈ４）は、印加される制御信号が高い時に閉じると仮定する。
【００３８】
まず、サンプリングスイッチ（Ｓ１、Ｓ２）が順に閉じると、データ保存手段３１、３２はデータ電流を入力してサンプリング動作を行う。
【００３９】
その後、サンプリングスイッチ（Ｓ３、Ｓ４）が順に閉じてデータ保存手段３３、３４がサンプリング動作を行う。この時、選択信号（Ｓｅｌｅｃｔ［１］）が印加され、ホールディングスイッチ（Ｈ１、Ｈ２）が閉じるので、データ保存手段３１、３２にサンプリングされていた電流がデータ線（ｄａｔａ［１］、ｄａｔａ［２］）にホールディングされ、画素に記入される。
【００４０】
その後、選択信号（Ｓｅｌｅｃｔ［２］）が印加されホールディングスイッチ（Ｈ３、Ｈ４）が閉じていれば（図示せず）、データ保存手段３３、３４にサンプリングされていた電流がデータ線（ｄａｔａ［１］、ｄａｔａ［２］）にホールディングされ、画素に記入される。
【００４１】
前記動作が反復的に行われ、逆多重化器３００は、データ駆動部２００から出力されたデータ電流を逆多重化してデータ線（ｄａｔａ［１］、ｄａｔａ［２］）に提供する。
【００４２】
本発明の第１実施例による逆多重化器３００は、二つのサンプル/ホールド回路がデータ線を通じてデータをホールディングしている間、残りの二つのサンプル/ホールド回路がデータ駆動部２００からデータ電流を順にサンプリングすることによって、データ記入時間を延長することができる。
【００４３】
しかし、本発明の第１実施例による逆多重化器３００を実際に使用した結果、表示パネル１００に一定に繰り返される点紋が生じる現象があった。これは、逆多重化器３００に含まれた４個のサンプル/ホールド回路の特性差またはデータ電流をサンプリングする順序によることで、４個のサンプル/ホールド回路が互いに同一なデータ電流をサンプリングしたとしても、ホールディングされる電流は互いに同一でなかったからである。
【００４４】
このような問題を解決するために、以下の実施例では、各々の画素に４個のサンプル/ホールド回路が互いに同じ回数にデータ電流を供給するようにして、実質的に４個のサンプル/ホールド回路の出力電流の平均値が画素に供給されるようにする。
【実施例２】
【００４５】
本発明の第２実施例では、４個のサンプル/ホールド回路とこの回路からデータ電流の供給を受ける画素との対応関係が互いに異なる４個のフレームを繰り返すことにより、４個のサンプル/ホールド回路の出力電流の平均値が画素に供給されるようにする。
【００４６】
以下、図４乃至図８を参照して、本発明の第２実施例による逆多重化器３００を詳細に説明する。
【００４７】
図４は、本発明の第２実施例による逆多重化器３００を示したものである。
【００４８】
図４に示されているように、本発明の第２実施例による逆多重化器３００は、第１サンプル/ホールド回路グループ３１０、第２サンプル/ホールド回路グループ３２０、及びスイッチング部３３０を含む。
【００４９】
第１及び第２サンプル/ホールド回路グループ３１０、３２０は、データ駆動部２００からのデータ電流を逆多重化して出力し、スイッチング部３３０は、第１及び第２サンプル/ホールド回路グループ３１０、３２０の出力端とデータ線（ｄａｔａ［１］、ｄａｔａ［２］）との間をスイッチングする。
【００５０】
本発明の第２実施例による逆多重化器３００の動作について、図５乃至図８を参照して詳細に説明する。図５乃至図８では、説明の便宜上、データ線（ｄａｔａ［１］、ｄａｔａ［２］）と走査線（ｓｅｌｅｃｔ［１］、ｓｅｌｅｃｔ［２］）に各々連結される４個の画素を示した。
【００５１】
図５は、逆多重化器３００に連結された画素グループを例として示したものであり、図６は、図５に示された画素に電流を記入するサンプル/ホールド回路の番号を、本発明の第２実施例にしたがって示したものである。具体的には、本発明の第２実施例によると、フレーム１において画素１ａに電流を記入するものは第１サンプル/ホールド回路であり、画素１ｂには第２サンプル/ホールド回路が電流を記入する。
【００５２】
図７（Ａ）乃至図７（Ｄ）は、フレーム１乃至４における逆多重化器３００に印加される制御信号の波形図であり、図８は、フレーム１乃至４におけるスイッチング部３３０の動作を示したものである。また、図７（Ａ）乃至図７（Ｄ）には、画素１ａ、１ｂに電流を記入する間の制御信号の波形のみを示した。
【００５３】
フレーム１において、図７（Ａ）に示されているように、サンプリングスイッチ（Ｓ１、Ｓ２、Ｓ３、Ｓ４）が順に閉じて、データ保存手段３１、３２、３３、３４はデータ駆動部２００から入力されるデータ電流を順にサンプリングする。この時、データ駆動部２００は、画素１ａ、１ｂ、２ａ、２ｂに記入されるデータ電流順にデータ電流を出力するので、データ保存手段３１、３２、３３、３４は各々画素１ａ、１ｂ、２ａ、２ｂに記入されるデータ電流をサンプリングする。
【００５４】
サンプリングスイッチ（Ｓ１、Ｓ２）が閉じている間にホールディングスイッチ（Ｈ３、Ｈ４）が閉じるが、選択信号（Ｓｅｌｅｃｔ［１］）が印加される前であるので、データ線（ｄａｔａ［１］、ｄａｔａ［２］）には電流がホールディングされない。
【００５５】
サンプリングスイッチ（Ｓ３、Ｓ４）が閉じている間、選択信号（Ｓｅｌｅｃｔ［１］）が画素１ａ、１ｂに印加されてホールディングスイッチ（Ｈ１、Ｈ２）が閉じ、データ保存手段３１、３２がスイッチング部３３０を通じてデータ線（ｄａｔａ［１］、ｄａｔａ［２］）に電流をホールディングする。
【００５６】
フレーム１におけるスイッチング部３３０の動作は、図８に示されているように、第１サンプル/ホールド回路グループ３１０の出力電流をデータ線（ｄａｔａ［１］）に提供し、第２サンプル/ホールド回路グループ３２０の出力電流をデータ線（ｄａｔａ［２］）に提供する。
【００５７】
したがって、データ保存手段３１のホールディング電流がデータ線（ｄａｔａ［１］）を通じて画素１ａに記入され、データ保存手段３２のホールディング電流がデータ線（ｄａｔａ［２］）を通じて画素１ｂに記入される。
【００５８】
その後、画素２ａ、２ｂにデータ電流を記入する動作（図示せず）が行われる。具体的には、サンプリングスイッチ（Ｓ１、Ｓ２）が順に閉じてデータ保存手段３１、３２がデータ電流をサンプリングする。この時、選択信号（Ｓｅｌｅｃｔ［２］）が印加され、ホールディングスイッチ（Ｈ３、Ｈ４）が閉じて、データ保存手段３３、３４のホールディング電流がデータ線（ｄａｔａ［１］、ｄａｔａ［２］）を通じて画素２ａ、２ｂに記入される。
【００５９】
これで、フレーム１の画素１ａには第１サンプル/ホールド回路のホールディング電流が、画素１ｂには第２サンプル/ホールド回路のホールディング電流が、画素２ａには第３サンプル/ホールド回路のホールディング電流が、画素２ｂには第４サンプル/ホールド回路のホールディング電流が記入される。
【００６０】
フレーム２では、図７（Ｂ）に示されているように、サンプリングスイッチ（Ｓ３、Ｓ４）が順に閉じた後、サンプリングスイッチ（Ｓ１、Ｓ２）が順に閉じる。
【００６１】
サンプリングスイッチ（Ｓ３、Ｓ４）が閉じている間、データ保存手段３３、３４が順にサンプリング動作を行う。
【００６２】
サンプリングスイッチ（Ｓ１、Ｓ２）が順に閉じている間、データ保存手段３１、３２が順にサンプリング動作を行う。また、選択信号（Ｓｅｌｅｃｔ［１］）が印加されてホールディングスイッチ（Ｈ３、Ｈ４）が閉じ、データ保存手段３３、３４がスイッチング部３３０を通じてデータ線（ｄａｔａ［１］、ｄａｔａ［２］）に電流をホールディングする。
【００６３】
フレーム２においてスイッチング部３３０は、フレーム１と同様に、第１サンプル/ホールド回路グループ３１０の出力電流をデータ線（ｄａｔａ［１］）に伝達し、第２サンプル/ホールド回路グループ３２０の出力電流をデータ線（ｄａｔａ［２］）に伝達する。
【００６４】
その後、画素２ａ、２ｂに選択信号（Ｓｅｌｅｃｔ［２］）が印加され、データ保存手段３１、３２がサンプリングしておいたデータに対応する電流をデータ線（ｄａｔａ［１］、ｄａｔａ［２］）にホールディングする。したがって、画素２ａにはデータ保存手段３１のホールディング電流が記入され、画素２ｂにはデータ保存手段３２のホールディング電流が記入される。
【００６５】
これで、フレーム２の画素１ａには第３サンプル/ホールド回路のホールディング電流が、画素１ｂには第４サンプル/ホールド回路のホールディング電流が、画素２ａには第１サンプル/ホールド回路のホールディング電流が、画素２ｂには第２サンプル/ホールド回路のホールディング電流が印加される（図６参照）。
【００６６】
フレーム３ではサンプリングスイッチ（Ｓ４、Ｓ３、Ｓ２、Ｓ１）が順に閉じて、データ保存手段３４、３３、３２、３１が順にデータ電流をサンプリングする。
【００６７】
サンプリングスイッチ（Ｓ２、Ｓ１）が閉じている間に選択信号（Ｓｅｌｅｃｔ［１］）が画素１ａ、１ｂに印加されるが、この時、ホールディングスイッチ（Ｈ３、Ｈ４）が閉じて、データ保存手段３３、３４がスイッチング部３３０を通じてデータ線（ｄａｔａ［１］、ｄａｔａ［２］）に電流をホールディングする。
【００６８】
フレーム３においてスイッチング部３３０は、図８に示されているように、第１サンプル/ホールド回路グループ３１０の出力電流をデータ線（ｄａｔａ［２］）に伝達し、第２サンプル/ホールド回路グループ３２０の出力電流をデータ線（ｄａｔａ［１］）に伝達する。
【００６９】
したがって、データ保存手段３３のホールディング電流がデータ線（ｄａｔａ［２］）に記入され、データ保存手段３４のホールディング電流がデータ線（ｄａｔａ［１］）に記入される。
【００７０】
その後、選択信号（Ｓｅｌｅｃｔ［２］）が印加されると、データ保存手段３２、３１にサンプリングされていたデータに対応する電流が出力され、スイッチング部３３０によって、画素２ａにはデータ保存手段３２のホールディング電流が記入され、画素２ｂにはデータ保存手段３１のホールディング電流が記入される。
【００７１】
これで、フレーム３の画素１ａには第４サンプル/ホールド回路のホールディング電流が、画素１ｂには第３サンプル/ホールド回路のホールディング電流が、画素２ａには第２サンプル/ホールド回路のホールディング電流が、画素２ｂには第１サンプル/ホールド回路のホールディング電流が印加される（図６参照）。
【００７２】
フレーム４ではサンプリングスイッチ（Ｓ２、Ｓ１、Ｓ４、Ｓ３）が順に閉じて、データ保存手段３２、３１、３４、３３が順にデータ電流をサンプリングする。
【００７３】
サンプリングスイッチ（Ｓ４、Ｓ３）が閉じている間に選択信号（Ｓｅｌｅｃｔ［１］）が画素１ａ、１ｂに印加されるが、この時、ホールディングスイッチ（Ｈ１、Ｈ２）が閉じて、データ保存手段３１、３２がスイッチング部３３０を通じてデータ線（ｄａｔａ［１］、ｄａｔａ［２］）に電流をホールディングする。
【００７４】
フレーム４においてスイッチング部３３０は、フレーム３と同様に、第１サンプル/ホールド回路グループ３１０の出力電流をデータ線（ｄａｔａ［２］）に提供し、第２サンプル/ホールド回路グループ３２０の出力電流をデータ線（ｄａｔａ［１］）に提供する。
【００７５】
したがって、データ保存手段３１のホールディング電流がデータ線（ｄａｔａ［２］）に記入され、データ保存手段３２のホールディング電流がデータ線（ｄａｔａ［１］）に記入される。
【００７６】
その後、画素２ａ、２ｂに選択信号（Ｓｅｌｅｃｔ［２］）が印加され、データ保存手段３３、３４がサンプリングしておいたデータに対応する電流を、スイッチング部３３０を通じて各々データ線（ｄａｔａ［２］、ｄａｔａ［１］）にホールディングする。したがって、画素２ａにはデータ保存手段３４のホールディング電流が記入され、画素２ｂにはデータ保存手段３３のホールディング電流が記入される。
【００７７】
これで、フレーム４の画素１ａには第２サンプル/ホールド回路のホールディング電流が、画素１ｂには第１サンプル/ホールド回路のホールディング電流が、画素２ａには第４サンプル/ホールド回路のホールディング電流が、画素２ｂには第３サンプル/ホールド回路のホールディング電流が記入される（図６参照）。
【００７８】
本発明の第２実施例によると、第１乃至第４サンプル/ホールド回路のサンプリング順序を変更し、スイッチング部３３０が第１及び第２サンプル/ホールド回路グループ３１０、３３０の出力端とデータ線（ｄａｔａ［１］、ｄａｔａ［２］）をスイッチングすることにより、第１乃至第４サンプル/ホールド回路が互いに同じ回数で画素１ａ、１ｂ、２ａ、２ｂにデータ電流を供給し、第１乃至第４サンプル/ホールド回路の出力電流の平均値が各画素１ａ、１ｂ、２ａ、２ｂに供給される。
【００７９】
しかし、第２実施例による逆多重化器３００を駆動するためには４個の信号構成が必要となるという短所があった。具体的には、画素１ａに記入されるデータを基準にすれば、第１乃至第４サンプル/ホールド回路で１回ずつサンプリングしなければならないので、サンプリングスイッチ（Ｓ１−Ｓ４）に印加される制御信号のパルスが各々１回ずつ印加されなければならないため、逆多重化器３００を駆動するための駆動回路が複雑になる問題があった。
【００８０】
また、本発明の第２実施例による逆多重化装置は、第１乃至第４サンプル/ホールド回路のサンプリング順序が互いに変更されるが、データ駆動部２００から逆多重化器３００に入力されるデータ順序は、画素１ａ、１ｂ、２ａ、２ｂ順に固定されている。つまり、一番先にサンプリングされたサンプル/ホールド回路の出力電流が画素１ａに、二番目にサンプリングされたサンプル/ホールド回路の出力電流が画素１ｂに、３番目にサンプリングされたサンプル/ホールド回路の出力電流が画素２ａに、４番目にサンプリングされたサンプル/ホールド回路の出力電流が画素２ｂに各々記入される。
【００８１】
このようにデータ順序が画素１ａ、１ｂ、２ａ、２ｂ順に固定されており、画素１ａと画素１ｂにデータ電流を同時に供給し、画素２ａと画素２ｂにデータ電流を同時に供給しなければならないため、１：２逆多重化を行う際にはデータ線（ｄａｔａ［１］）に出力するデータ電流を常に一番先にサンプリングする。
【００８２】
しかし、実験によって同じデータ電流を順にサンプリングして同時にホールディングしても、サンプリング順序により出力電流に差が発生することが明らかになった。つまり、待機段階に止まる時間の差により出力電流に差が発生することである。
【００８３】
このような問題を解決するために、本発明の第３実施例によると、同一な画素ラインからデータ線（ｄａｔａ［１］）を通じて出力するデータ電流と、データ線（ｄａｔａ［２］）を通じて出力するデータ電流とのサンプリング順序の平均を同一にして、実質的に同一な電流が供給できるようにする。
【００８４】
つまり、一つの画素ラインに対し、第１サンプル/ホールド回路グループと第２サンプル/ホールド回路グループとのサンプリング順序の平均が互いに同一になるようにする。
【００８５】
これを実現するためには、フレーム別サンプル/ホールド回路と画素の対応関係はそのまま維持し、フレーム別にデータ入力順序を変え、それにしたがって対応するサンプル/ホールド回路のサンプリング順序を変えればよい。
【００８６】
具体的には、データ順序を１ａ、１ｂ、２ａ、２ｂと１ｂ、１ａ、２ｂ、２ａの２種類として繰り返し、それにしたがって対応するサンプル/ホールド回路のサンプリング順序を変えれば、制御信号の構成を２種類に減らすことができる。
【実施例３】
【００８７】
図９（Ａ）乃至図９（Ｄ）は、各々第１乃至第４フレームに印加される制御信号の波形を本発明の第３実施例にしたがって示したものである。
【００８８】
以下、図９（Ａ）乃至図９（Ｄ）を参照して、本発明の第３実施例による逆多重化器３００の動作について説明する。ただし、フレーム１及びフレーム３の動作、つまり図９（Ａ）と図９（Ｃ）の動作は本発明の第２実施例と同一であるので、ここでは説明を省略する。
【００８９】
フレーム２においてデータ駆動部２００は、画素１ｂ、１ａ、２ｂ、２ａに記入されるデータ電流を順に逆多重化器３００に提供し、逆多重化器３００のサンプリングスイッチ（Ｓ４、Ｓ３、Ｓ２、Ｓ１）が順に閉じる。
【００９０】
サンプリングスイッチ（Ｓ４、Ｓ３）が順に閉じると、データ保存手段３４、３３が画素１ｂ、１ａに記入されるデータ電流を各々サンプリングする。
【００９１】
その後、サンプリングスイッチ（Ｓ２、Ｓ１）が順に閉じると、データ保存手段３２、３１は画素２ｂ、２ａに記入されるデータ電流を各々サンプリングする。この時、選択信号（Ｓｅｌｅｃｔ［１］）が印加され、ホールディングスイッチ（Ｈ３、Ｈ４）が閉じて、データ保存手段３３、３４がスイッチング部３３０を通じてデータ線（ｄａｔａ［１］、ｄａｔａ［２］）に電流をホールディングする。
【００９２】
フレーム２におけるスイッチング部３３０の動作は第２実施例と同一であるので、データ保存手段３３のホールディング電流が画素１ａに記入され、データ保存手段３４のホールディング電流が画素１ｂに記入される。
【００９３】
その後、ホールディングスイッチ（Ｈ１、Ｈ２）が閉じ、選択信号（Ｓｅｌｅｃｔ［２］）が画素２ａ、２ｂに印加されると（図示せず）、データ保存手段３１、３２は、サンプリングしておいたデータに対応する電流をデータ線（ｄａｔａ［１］、ｄａｔａ［２］）にホールディングする。したがって、データ保存手段３１のホールディング電流が画素２ａに記入され、データ保存手段３２のホールディング電流が画素２ｂに記入される。
【００９４】
これで、画素１ａには第３サンプル/ホールド回路のホールディング電流が、画素１ｂには第４サンプル/ホールド回路のホールディング電流が、画素２ａには第１サンプル/ホールド回路のホールディング電流が、画素２ｂには第２サンプル/ホールド回路のホールディング電流が印加される。
【００９５】
フレーム４においてデータ駆動部２００は、画素１ｂ、１ａ、２ｂ、２ａに記入されるデータ電流を順に逆多重化器３００に提供し、逆多重化器３００のサンプリングスイッチ（Ｓ１、Ｓ２、Ｓ３、Ｓ４）が順に閉じる。
【００９６】
サンプリングスイッチ（Ｓ１、Ｓ２）が順に閉じると、データ保存手段３１、３２が画素１ｂ、１ａに記入されるデータ電流を各々サンプリングする。
【００９７】
その後、サンプリングスイッチ（Ｓ３、Ｓ４）が順に閉じると、データ保存手段３３、３４が画素２ｂ、２ａに記入されるデータ電流を各々サンプリングする。この時、ホールディングスイッチ（Ｈ１、Ｈ２）が閉じ、選択信号（Ｓｅｌｅｃｔ［１］）が印加されて、データ保存手段３１、３２のホールディング電流がスイッチング部３３０を通じてデータ線（ｄａｔａ［１］、ｄａｔａ［２］）に記入される。
【００９８】
フレーム４におけるスイッチング部３３０の動作は第２実施例と同一であるので、データ保存手段３１のホールディング電流が画素１ｂに記入され、データ保存手段３２のホールディング電流が画素１ａに記入される。
【００９９】
その後、ホールディングスイッチ（Ｈ３、Ｈ４）が閉じ、選択信号（Ｓｅｌｅｃｔ［２］）が画素２ａ、２ｂに印加されると（図示せず）、データ保存手段３３、３４のホールディング電流がスイッチング部３３０を通じてデータ線（ｄａｔａ［１］、ｄａｔａ［２］）に記入されるが、データ保存手段３４のホールディング電流が画素２ａに記入され、データ保存手段３３のホールディング電流が画素２ｂに記入される。
【０１００】
これで、画素１ａには第２サンプル/ホールド回路のホールディング電流が、画素１ｂには第１サンプル/ホールド回路のホールディング電流が、画素２ａには第４サンプル/ホールド回路のホールディング電流が、画素２ｂには第３サンプル/ホールド回路のホールディング電流が印加される。
【０１０１】
本発明の第３実施例によると、フレーム１とフレーム４における制御信号の構成が同一であり、フレーム２とフレーム３における制御信号の構成が同一であって、サンプリングスイッチ（Ｓ１、Ｓ２、Ｓ３、Ｓ４）に印加される制御信号の構成が４種類から２種類に縮少される長所がある。
【０１０２】
第３実施例では、データ順序を１ａ、１ｂ、２ａ、２ｂと１ｂ、１ａ、２ｂ、２ａの２種類で繰り返し、それにしたがって対応するサンプル/ホールド回路のサンプリング順序を変更したが、これと類似した多様な変形が可能である。
【０１０３】
例えば、４個のフレーム順序を第３実施例と異なるように変更することができ、逆多重化器３００に入力されるデータ順序を異なるように変更することもできる。
【実施例４】
【０１０４】
本発明の第４実施例では、逆多重化器３００に入力されるデータ順序を（１ａ、１ｂ、２ａ、２ｂ）、（１ｂ、１ａ、２ｂ、２ａ）、（１ｂ、１ａ、２ａ、２ｂ）、（１ａ、１ｂ、２ｂ、２ａ）の４種類にしてフレーム１乃至４に順に反映し、これを繰り返す。
【０１０５】
図１０（Ａ）乃至図１０（Ｄ）は、本発明の第４実施例による逆多重化器に印加される制御信号の波形図である。
【０１０６】
以下、図１０（Ａ）乃至図１０（Ｄ）を参照して、本発明の第４実施例による逆多重化器３００の動作を説明する。ただし、フレーム１とフレーム２の動作は第３実施例と同一であるので、ここでは説明を省略する。
【０１０７】
フレーム３においてデータ駆動部２００は、図１０（Ｃ）に示されているように、画素１ｂ、１ａ、２ａ、２ｂに対応するデータ電流を順に逆多重化器３００に提供し、逆多重化器３００のサンプリングスイッチ（Ｓ３、Ｓ４、Ｓ２、Ｓ１）が順に閉じる。
【０１０８】
サンプリングスイッチ（Ｓ４、Ｓ３）が順に閉じると、データ保存手段３４、３３が画素１ｂ、１ａに記入されるデータ電流を各々サンプリングする。
【０１０９】
その後、サンプリングスイッチ（Ｓ２、Ｓ１）が順に閉じると、データ保存手段３２、３１は画素２ａ、２ｂに記入されるデータ電流を各々サンプリングする。この時、選択信号（Ｓｅｌｅｃｔ［１］）が印加され、ホールディングスイッチ（Ｈ３、Ｈ４）が閉じて、データ保存手段３３、３４のホールディング電流がスイッチング部３３０を通じてデータ線（ｄａｔａ［１］、ｄａｔａ［２］）に記入される。
【０１１０】
フレーム３におけるスイッチング部３３０の動作は第２実施例と同一であるので、データ保存手段３３のホールディング電流が画素１ｂに記入され、データ保存手段３４のホールディング電流が画素１ａに記入される。
【０１１１】
その後、選択信号（Ｓｅｌｅｃｔ［２］）が画素２ａ、２ｂに印加され、ホールディングスイッチ（Ｈ１、Ｈ２）が閉じると（図示せず）、データ保存手段３１、３２にサンプリングしておいたデータに対応する電流がデータ線（ｄａｔａ［１］、ｄａｔａ［２］）にホールディングされる。したがって、データ保存手段３１のホールディング電流が画素２ｂに記入され、データ保存手段３２のホールディング電流が画素２ａに記入される。
【０１１２】
これで、画素１ａには第４サンプル/ホールド回路のホールディング電流が、画素１ｂには第３サンプル/ホールド回路のホールディング電流が、画素２ａには第２サンプル/ホールド回路のホールディング電流が、画素２ｂには第１サンプル/ホールド回路のホールディング電流が印加される。
【０１１３】
フレーム４においてデータ駆動部２００は、図１０（Ｄ）に示されているように、画素１ａ、１ｂ、２ｂ、２ａに対応するデータ電流を順に逆多重化器３００に提供し、逆多重化器３００のサンプリングスイッチ（Ｓ２、Ｓ１、Ｓ３、Ｓ４）が順に閉じる。
【０１１４】
サンプリングスイッチ（Ｓ２、Ｓ１）が順に閉じると、データ保存手段３２、３１が画素１ａ、１ｂに記入されるデータ電流を各々サンプリングする。
【０１１５】
その後、サンプリングスイッチ（Ｓ３、Ｓ４）が順に閉じると、データ保存手段３３、３４が画素２ｂ、２ａに記入されるデータ電流を各々サンプリングする。この時、選択信号（Ｓｅｌｅｃｔ［１］）が印加され、ホールディングスイッチ（Ｈ１、Ｈ２）が閉じて、データ保存手段３１、３２のホールディング電流がスイッチング部３３０を通じてデータ線（ｄａｔａ［１］、ｄａｔａ［２］）に記入する。
【０１１６】
フレーム３におけるスイッチング部３３０の動作は第２実施例と同一であるので、データ保存手段３１のホールディング電流が画素１ｂに記入され、データ保存手段３２のホールディング電流が画素１ａに記入される。
【０１１７】
その後、選択信号（Ｓｅｌｅｃｔ［２］）が画素２ａ、２ｂに印加され、ホールディングスイッチ（Ｈ３、Ｈ４）が閉じると、データ保存手段３３、３４のサンプリング電流がデータ線（ｄａｔａ［１］、ｄａｔａ［２］）にホールディングされる。したがって、データ保存手段３３のホールディング電流が画素２ｂに記入され、データ保存手段３４のホールディング電流が画素２ａに記入される。
【０１１８】
これで、画素１ａには第２サンプル/ホールド回路のホールディング電流が、画素１ｂには第１サンプル/ホールド回路のホールディング電流が、画素２ａには第４サンプル/ホールド回路のホールディング電流が、画素２ｂには第３サンプル/ホールド回路のホールディング電流が印加される。
【０１１９】
本発明の第３及び第４実施例では、逆多重化器３００に入力されるデータ順序が変更されることにより、制御信号の構成が４種類から２種類に縮少された。
【０１２０】
しかし、制御信号の構成が２種類に減っても、依然としてフレームに応じて制御信号を変えるための駆動回路が必要である。
【０１２１】
本発明の第５実施例では、フレームごとに逆多重化器３００に印加される制御信号を異なるように生成する別途の駆動回路なしで、クロック信号を利用して逆多重化器３００の各スイッチを制御する。
【０１２２】
具体的には、サンプリングクロックとホールディングクロックの周期は水平周期（Ｔ）の二倍に設定し、垂直周期を奇数個の水平周期（Ｔ）に設定すれば、毎フレームごと（各フレーム毎）に１８０度ずつ位相をシフトさせることができ、２種類の制御信号構成の効果を得られる。なお、前記第１制御信号（サンプリングクロック）と前記第２制御信号（ホールディングクロック）の水平周期の半分を第１周期とすれば、前記第１制御信号と前記第２制御信号の垂直周期は前記第１周期の奇数倍である。
【実施例５】
【０１２３】
このようなクロック信号で制御信号を構成するために、本発明の第５実施例によれば、図１１に示されているように、第１及び第２サンプル/ホールド回路と第３及び第４サンプル/ホールド回路とがフレーム別に交互に画素１ａ、１ｂにデータ電流を供給し、フレーム３とフレーム４の順序を変更する。
【０１２４】
図１１は、本発明の第５実施例による画素１ａ、１ｂ、２ａ、２ｂに電流を記入するサンプル/ホールド回路の番号を示したものであり、図１２は、逆多重化器３００に印加される制御信号の駆動波形図である。
【０１２５】
図１１及び図１２に示されているように、フレーム１及びフレーム２の動作は、第２実施例のフレーム１及びフレーム２の動作と同一であり、フレーム３の動作は、第３実施例のフレーム４の動作と同一であり、フレーム４の動作は、第４実施例のフレーム３の動作と同一であるので、ここではフレーム別逆多重化器の動作は説明しない。
【０１２６】
また、毎フレームごとに１８０度ずつ位相をシフトさせ、逆多重化器に入力されるデータ電流の順序を図１２に示されているように変更すれば、第１乃至第４サンプル/ホールド回路に印加される制御信号を別途の駆動回路なしでクロック信号で生成することができる。つまり、サンプリングスイッチ（Ｓ１、Ｓ２、Ｓ３、Ｓ４）に印加される制御信号を４−位相クロック（以下ではサンプリングクロックとする）を使用し、ホールディングスイッチ（Ｈ１、Ｈ２、Ｈ３、Ｈ４）に印加される制御信号を２−位相クロック（以下、ホールディングクロックとする）を使用すれば、第１乃至第４サンプル/ホールド回路のサンプリング順序を平均的に同一にすることができる。
【０１２７】
図１２において、一般に、走査線（ｓｅｌｅｃｔ［ｍ］）でのｍは偶数であり、１フレーム周期を奇数個であるｍ＋１水平周期とする。
【０１２８】
この時、クロック信号のパルス幅とパルスとの間の間隔を実施例によって異なるように設定することができ、フレーム１とフレーム３の順序を変更することができ、フレーム４とフレーム２の順序を変更することができる。
【０１２９】
以上では説明の便宜のために１：２逆多重化装置を中心に説明したが、本発明の概念がこれに限定されず、本発明の概念をそのまま利用して多様に変形された１：Ｎ逆多重化装置を構成することができる。
【０１３０】
また、フレーム別に画素に記入される第１乃至第４サンプル/ホールド回路の順序を変更したり、データの記入順序を変更することを説明したが、サブフレーム別にこの動作を行うことが可能であるのはもちろんである。
【０１３１】
以上で本発明の実施例による逆多重化器及びこれを用いたディスプレイ装置について説明した。前記説明された実施例は本発明の概念が最適に適用された実施例であって、本発明の概念が前記実施例に限定されるものではなく、本発明の概念をそのまま利用して多様に変形された実施例を構成できるのは当業者に自明である。
【図面の簡単な説明】
【０１３２】
【図１】本発明の第１実施例による逆多重化器を概念的に示したブロック図である。
【図２】（Ａ）は本発明の一実施例による第１サンプル/ホールド回路を示したものであり、（Ｂ）は（Ａ）に示された回路の細等価回路を示したものである。
【図３】本発明の第１実施例による逆多重化器に印加される制御信号の波形を示したものである。
【図４】本発明の第２実施例による逆多重化器を示したものである。
【図５】図４に示された逆多重化器に連結された画素グループを示したものである。
【図６】本発明の第２実施例による第１乃至第４フレームの各画素に電流を記入するサンプル/ホールド回路の番号を示したものである。
【図７】本発明の第２実施例による逆多重化器に印加される制御信号の波形図である。
【図８】フレーム１乃至４におけるスイッチング部の動作を示したものである。
【図９】本発明の第３実施例による逆多重化器に印加される制御信号の波形図である。
【図１０】本発明の第４実施例による逆多重化器に印加される制御信号の波形図を示したものである。
【図１１】本発明の第５実施例による第１乃至第４フレームの各画素に電流を記入するサンプル/ホールド回路の番号を示したものである。
【図１２】本発明の第５実施例による逆多重化器に印加される制御信号の波形図である。
【図１３】電流の逆多重化が必要な電流駆動ディスプレイ装置の例であって、ＡＭＯＬＥＤディスプレイ装置を示したものである。
【図１４】従来技術の逆多重化器に用いられるアナログスイッチを示したものである。
【符号の説明】
【０１３３】
１０  画素
３１、３２、３３、３４  データ保存手段
１００  有機ＥＬ表示パネル
２００  データ駆動部
３００  逆多重化器
３１０  第１サンプル/ホールド回路グループ
３２０  第２サンプル/ホールド回路グループ
３３０  スイッチング部
４００、５００  走査駆動部
【図１】
2005157331.tif 000003
【図２】
2005157331.tif 000004
【図３】
2005157331.tif 000005
【図４】
2005157331.tif 000006
【図５】
2005157331.tif 000007
【図６】
2005157331.tif 000008
【図７】
2005157331.tif 000009
【図８】
2005157331.tif 000010
【図９】
2005157331.tif 000011
【図１０】
2005157331.tif 000012
【図１１】
2005157331.tif 000013
【図１２】
2005157331.tif 000014
【図１３】
2005157331.tif 000015
【図１４】
2005157331.tif 000016